(57)【要約】【課題】仏事用礼拝シンボルの上下方向の位置調整を容易にする。【解決手段】仏事用礼拝シンボルのホルダー１は、面材１０Ｂおよび裏板１１を有する挟持部１０を備える。仏事用礼拝シンボルのホルダー１は、上下方向に延びた支え部分２１により挟持部１０を支える支持部２０を備える。仏事用礼拝シンボルのホルダー１は、裏板１１の裏側から突出されたほぞ３１（突出体）を備える。仏事用礼拝シンボルのホルダー１は、支え部分２１に、ほぞ３１を差し込んで上下方向に動かすことが可能なサイズに開口されたほぞ穴２１Ａ（穴）を備える。仏事用礼拝シンボルのホルダー１は、ほぞ穴２１Ａに差し込まれたほぞ３１をほぞ穴２１Ａに対して係止させる係止手段３０を備える。【選択図】図３
2019004984.tif 000002
【特許請求の範囲】
【請求項１】
仏事に関する所定の表示を表面に有するシート状の仏事用礼拝シンボルを保持する仏事用礼拝シンボルのホルダーであって、
前記仏事用礼拝シンボルの前記表面を覆う透明板からなる面材、および、当該面材と一体化された状態で前記仏事用礼拝シンボルの裏面に当たることで、前記面材との間に前記仏事用礼拝シンボルを挟み込む裏板を有する挟持部と、
上下方向に延びた支え部分を有し、当該支え部分によって前記挟持部を支える支持部と、
前記裏板において前記面材とは反対側となる裏側から突出された突出体と、
前記支え部分に、前記突出体を差し込んで当該突出体を上下方向に動かすことが可能なサイズに開口された穴と、
前記穴に差し込まれた状態の前記突出体を前記穴に対して係止された状態にする係止手段と、
を備えている、
仏事用礼拝シンボルのホルダー。
【請求項２】
請求項１に記載された仏事用礼拝シンボルのホルダーであって、
前記裏板が、前記透明板の上縁を下方に折り返してなる第１の裏板と、前記透明板の下縁を上方に折り返してなる第２の裏板とを有してなる、
仏事用礼拝シンボルのホルダー。
【請求項３】
請求項２に記載された仏事用礼拝シンボルのホルダーであって、
前記第１の裏板と前記第２の裏板とが、当該第２の裏板の上縁と前記第１の裏板の下縁との間に隙間が設定された状態に配設されている、
仏事用礼拝シンボルのホルダー。
【請求項４】
請求項２または請求項３に記載された仏事用礼拝シンボルのホルダーであって、
前記第２の裏板の折り返しの幅が、前記第１の裏板の折り返しの幅よりも狭い、
仏事用礼拝シンボルのホルダー。
【請求項５】
請求項１ないし請求項４のうちのいずれか１項に記載された仏事用礼拝シンボルのホルダーであって、
前記係止手段が、前記支え部分から前記穴内に突出した状態に配設されることで前記突出体を前記穴に対して係止された状態にするだぼを備えている、
仏事用礼拝シンボルのホルダー。
【請求項６】
請求項５に記載された仏事用礼拝シンボルのホルダーであって、
前記穴は、前記支え部分において前側となる部分に上下方向に延びた状態に開口されたほぞ穴であり、
前記突出体は、前記ほぞ穴に対して前記前側から差し込むことが可能とされたほぞであり、
前記係止手段が、前記ほぞに設けられて、前記ほぞ穴に前記前側から差し込まれた前記ほぞを前記だぼに対して上側からひっかかった状態に係止させることを可能とする切り欠きであるあたりかけを備えている、
仏事用礼拝シンボルのホルダー。
【請求項７】
請求項６に記載された仏事用礼拝シンボルのホルダーであって、
前記裏板が、前記透明板の上縁を下方に折り返してなる第１の裏板と、前記透明板の下縁を上方に折り返してなる第２の裏板とを有してなり、
前記ほぞは、前記第１の裏板における上下方向の中心よりも下方に位置され、
前記あたりかけは、ヒトがその手の指先を引っかけることが可能なサイズの切り欠きである、
仏事用礼拝シンボルのホルダー。
【請求項８】
請求項５ないし請求項７のうちのいずれか１項に記載された仏事用礼拝シンボルのホルダーであって、
前記支え部分は、当該支え部分の外表面において上下方向の位置が異なる複数箇所からそれぞれ前記穴に向かって貫通された貫通孔を備え、
前記だぼは、複数の前記貫通孔のいずれかに対して抜き差し可能に挿通されることで、前記穴内に突出した状態に配設される、
仏事用礼拝シンボルのホルダー。
【請求項９】
請求項１ないし請求項８のうちのいずれか１項に記載された仏事用礼拝シンボルのホルダーであって、
前記裏板の前記裏側に、前記穴の縁部に対する上下方向の摺動が可能な面が設けられている、
仏事用礼拝シンボルのホルダー。
【発明の詳細な説明】
【技術分野】
【０００１】
本発明は、仏事に関する所定の表示を有する仏事用礼拝シンボルを保持する仏事用礼拝シンボルのホルダーに関する。
【背景技術】
【０００２】
従来、仏事においては、その宗派により異なる所定の礼拝シンボルに向かって拝む動作を行う礼拝が行われる。例えば、浄土真宗の礼拝においては、阿弥陀如来の仏画もしくは仏像、または名号と呼ばれる漢文が書かれた紙を礼拝シンボルとし、この礼拝シンボルを仏壇にセットして、この礼拝シンボルに向かって拝む動作を行う。なお、浄土真宗の礼拝においては、仏画、仏像、または名号とは別の礼拝シンボルとして、故人の法名が書かれた紙を追加で仏壇にセットすることがある。
【０００３】
このような礼拝においては、礼拝シンボルをホルダーに保持させた状態で仏壇等にセットすることがある。このようなホルダーに関しては、例えば下記の特許文献１に開示のある技術が知られている。この技術では、仏事用礼拝シンボルを２つ折りにした透明板で挟み込んで保持し、この透明板の下端を支持部材で支持することで、仏事用礼拝シンボルを立てた状態にセットすることを可能とする。
【先行技術文献】
【特許文献】
【０００４】
【特許文献１】特開２０１６−１８８９２８号公報
【発明の概要】
【発明が解決しようとする課題】
【０００５】
しかし、上記技術には、仏壇等にセットされる仏事用礼拝シンボルの上下方向の位置を調整することが難しいという課題がある。
【０００６】
そこで、本発明は上記課題を解決するものであって、仏事用礼拝シンボルを挟み込んだ状態に保持するタイプの仏事用礼拝シンボルのホルダーにおいて、仏事用礼拝シンボルの上下方向の位置調整を容易にすることを目的とする。
【課題を解決するための手段】
【０００７】
本発明における１つの特徴によると、仏事に関する所定の表示を表面に有するシート状の仏事用礼拝シンボルを保持する仏事用礼拝シンボルのホルダーが提供される。この仏事用礼拝シンボルのホルダーは、仏事用礼拝シンボルの表面を覆う透明板からなる面材、および、この面材と一体化された状態で仏事用礼拝シンボルの裏面に当たることで、面材との間に仏事用礼拝シンボルを挟み込む裏板を有する挟持部を備えている。また、上記仏事用礼拝シンボルのホルダーは、上下方向に延びた支え部分を有し、この支え部分によって挟持部を支える支持部を備えている。また、上記仏事用礼拝シンボルのホルダーは、裏板において面材とは反対側となる裏側から突出された突出体を備えている。また、上記仏事用礼拝シンボルのホルダーは、上記支え部分に、上記突出体を差し込んでこの突出体を上下方向に動かすことが可能なサイズに開口された穴を備えている。また、上記仏事用礼拝シンボルのホルダーは、上記穴に差し込まれた状態の突出体を上記穴に対して係止された状態にする係止手段を備えている。
【０００８】
上記構成によれば、仏事用礼拝シンボルを挟んだ挟持部から突出された突出体を支え部分の穴に差し込み、挟持部を上下に動かして位置調整をし、さらに突出体を穴に係止させることができる。これにより、仏事用礼拝シンボルの上下方向の位置調整を容易にすることができる。
【０００９】
上記仏事用礼拝シンボルのホルダーにおける好ましい実施形態の１つにおいては、上記裏板が、透明板の上縁を下方に折り返してなる第１の裏板と、透明板の下縁を上方に折り返してなる第２の裏板とを有してなる。この構成によれば、１枚の透明板を折り加工することで挟持部を生産することができる。
【００１０】
より好ましくは、第１の裏板と第２の裏板とが、この第２の裏板の上縁と第１の裏板の下縁との間に隙間が設定された状態に配設されている。この構成によれば、透明板の板厚等により生じる加工誤差を上記隙間にて吸収することができる。これにより、上記挟持部の生産に際して成形不良が生じる可能性を小さくすることができる。
【００１１】
さらに好ましいのは、第２の裏板の折り返しの幅が、第１の裏板の折り返しの幅よりも狭いものである。この構成によれば、面材と第２の裏板との間にシート状の仏事用礼拝シンボルを滑り落とすようにさしはさむ場合に、この仏事用礼拝シンボルのすれを減らすことができる。
【００１２】
上記実施形態とは別の、好ましい実施形態の１つにおいては、上記係止手段が、上記支え部分から上記穴内に突出した状態に配設されることで突出体を上記穴に対して係止された状態にするだぼを備えている。この構成によれば、突出体を穴の中に深く差し込まなくても、この穴の中に配設されるだぼにより突出体を係止できるため、この係止の作業を容易にすることができる。
【００１３】
より好ましくは、上記穴は、上記支え部分において前側となる部分に上下方向に延びた状態に開口されたほぞ穴であり、上記突出体は、ほぞ穴に対して前側から差し込むことが可能とされたほぞである。さらに、上記係止手段が、上記ほぞに設けられて、ほぞ穴に前側から差し込まれたほぞをだぼに対して上側からひっかかった状態に係止させることを可能とする切り欠きであるあたりかけを備えている。この構成によれば、ほぞ穴にほぞを前側から差し込み、挟持部を上下に動かすことでこの挟持部を支持部に取り付けることができる。これにより、仏事用礼拝シンボルを挟み込む挟持部を支持部に取り付ける作業を容易にすることができる。
【００１４】
さらに好ましくは、上記裏板が、透明板の上縁を下方に折り返してなる第１の裏板と、透明板の下縁を上方に折り返してなる第２の裏板とを有してなる。また、上記ほぞは、第１の裏板における上下方向の中心よりも下方に位置され、上記あたりかけは、ヒトがその手の指先を引っかけることが可能なサイズの切り欠きである。この構成によれば、ほぞを第１の裏板の折り返しを開く際の取っ手として用いることができる。この場合、挟持部の裏板を開いてこの裏板と面材との間に仏事用礼拝シンボルをさしはさむ作業の作業性が向上する。
【００１５】
上記各実施形態においては、上記支え部分は、この支え部分の外表面において上下方向の位置が異なる複数箇所からそれぞれ上記穴に向かって貫通された貫通孔を備えるものが好ましい。ここで、上記だぼは、複数の貫通孔のいずれかに対して抜き差し可能に挿通されることで、上記穴内に突出した状態に配設される。この構成によれば、だぼの抜き差しにより、突出体が穴に係止される上下方向の位置を変更することができる。これにより、仏事用礼拝シンボルの上下方向の位置調整を容易にすることができる。
【００１６】
上記各実施形態とは別の、好ましい実施形態の１つにおいては、上記裏板の裏側に、上記穴の縁部に対する上下方向の摺動が可能な面が設けられている。この構成によれば、突出体を支え部分の穴に差し込み、挟持部の上下の位置調整をする作業に際して、この挟持部を支え部分に押し当てた状態で上下にずり動かすことができる。これにより、上記挟持部の上下の位置調整をする作業を容易にすることができる。
【発明の効果】
【００１７】
本発明では、仏事用礼拝シンボルを挟み込んだ状態に保持するタイプの仏事用礼拝シンボルのホルダーにおいて、仏事用礼拝シンボルの上下方向の位置調整を容易にすることができる。
【図面の簡単な説明】
【００１８】
【図１】本発明の一実施形態にかかる仏事用礼拝シンボルのホルダー１の正面図である。
【図２】図１の仏事用礼拝シンボルのホルダー１の背面図である。
【図３】図１の仏事用礼拝シンボルのホルダー１の右側面図である。
【図４】図１の仏事用礼拝シンボルのホルダー１の左側面図である。
【図５】図１のＶ−Ｖ線断面矢視図である。
【図６】図２のＶＩ−ＶＩ線断面矢視図である。
【図７】図１の仏事用礼拝シンボルのホルダー１の分解斜視図である。
【図８】図１の仏事用礼拝シンボルのホルダー１の斜視図である。
【図９】図１の仏事用礼拝シンボルのホルダー１の斜視図である。
【図１０】図１の仏事用礼拝シンボルのホルダー１の斜視図である。
【図１１】図１の仏事用礼拝シンボルのホルダー１の斜視図である。
【図１２】図７の挟持部１０に仏事用礼拝シンボル９０をさしはさむ作業を表した斜視図である。
【図１３】図７の挟持部１０の変形例を表した斜視図である。
【図１４】図７の挟持部１０の変形例を表した斜視図である。
【図１５】図５のあたりかけ３１Ａの変形例を表した要部断面矢視図である。
【発明を実施するための形態】
【００１９】
以下に、本発明を実施するための形態について、図面を用いて説明する。
【００２０】
始めに、本発明の一実施形態にかかる仏事用礼拝シンボルのホルダー１の構成について説明する。この仏事用礼拝シンボルのホルダー１は、図１および図９に示すように、シート状の仏事用礼拝シンボル９０を、この仏事用礼拝シンボル９０の表面９０Ａを覆う透明板からなる面材１０Ｂを通して視認できる状態で保持することができるホルダーである。ここで、仏事用礼拝シンボル９０は、真言宗の仏事において本尊の表示となる大日如来坐像９１Ａが表面９０Ａ側に描かれた紙片である本紙９１に、大日如来坐像９１Ａを縁取るフィルム状の飾りである表装９２を貼り付けた構成となっている。なお、本実施形態において、上記透明板は無色透明のアクリルガラスからなる。
【００２１】
仏事用礼拝シンボルのホルダー１は、図３および図４に示すように、仏事用礼拝シンボル９０を挟み込んだ状態に保持する挟持部１０と、台座２０Ａから柱状の支え部分２１を立設させた構造の支持部２０とを備えている。挟持部１０は、面材１０Ｂと、この面材１０Ｂと一体化された状態で仏事用礼拝シンボル９０の裏面９０Ｂに当たる裏板１１とで構成されて、この裏板１１と面材１０Ｂとの間に仏事用礼拝シンボル９０を挟み込むようになっている。
【００２２】
ここで、挟持部１０の裏板１１は、上記透明板の上縁を裏側下方（図３では右側下方）に折り返してなる第１の裏板１１Ａと、上記透明板の下縁を裏側上方（図３では右側上方）に折り返してなる第２の裏板１１Ｃとを有してなる。この構成によれば、挟持部１０は、１枚の透明板を折り加工することで生産することができる。
【００２３】
ここで、第１の裏板１１Ａと第２の裏板１１Ｃとは、この第２の裏板１１Ｃの上縁と第１の裏板１１Ａの下縁との間に隙間１０Ａが設定された状態に配設されている。この隙間１０Ａは、透明板の折り加工に際してこの透明板の板厚等により生じる加工誤差を吸収して、挟持部１０の生産に際して成形不良が生じる可能性を小さくする機能を発揮する。この構成によれば、１枚の透明板を開き観音折りに折り加工することで挟持部１０を効率的に生産することができる。
【００２４】
また、支持部２０の台座２０Ａは、図１ないし図９に示すように、仏壇（図示せず）等に安定的に置くことができるブロックとして形成されて、支え部分２１をこの支え部分２１が上下方向（図２で見て上下方向）に延びた姿勢をとるように支えるようになっている。そして、仏事用礼拝シンボルのホルダー１は、仏事用礼拝シンボル９０を保持した状態の挟持部１０を立てた状態にして支持部２０の支え部分２１に取り付ける（図７参照）ことで、仏事用礼拝シンボル９０を立てた状態にセットすることを可能とする（図８参照）。なお、本実施形態において、台座２０Ａは黒色不透明のアクリル樹脂からなる。
【００２５】
また、支持部２０の支え部分２１は、図５に示すように、長尺の柱状に形成されて、その一方側の小口面が台座２０Ａの上面後縁部に溶着されている。この溶着においては、酢酸を溶着剤として用いることができる。また、支え部分２１は、その前側（図５では左側）となる部分に上下方向に延びた状態に開口されたほぞ穴２１Ａを有している。このほぞ穴２１Ａは、本実施形態では支え部分２１を貫通してこの支え部分２１の前後に開口された穴である通しほぞ穴となっているが、ほぞ穴２１Ａは支え部分２１の前側にのみ開口された穴である止めほぞ穴であってもよい。
【００２６】
また、支え部分２１は、図２に示すように、無色透明のアクリルガラスからなる板を複数枚（例えば３枚）積層接着させることで無色透明の長尺の柱状に形成され、その各板のこば面が前後に向いた状態となるように台座２０Ａに接着される。この構成によれば、積層接着される板の形状の設定により、支え部分２１に穴をうがつ作業を行うことなくこの支え部分２１にほぞ穴２１Ａを設けることができる。なお、上記積層接着においては、酢酸を溶着剤とした溶着の手法を用いることができる。
【００２７】
ところで、挟持部１０においては、図２ないし図５に示すように、第１の裏板１１Ａの折り返しの幅が第２の裏板１１Ｃの折り返しの幅よりも広くされている。また、第１の裏板１１Ａにおける上下方向の中心よりも下方（すなわち折り返しの先端寄りの部分）には、裏板１１において面材１０Ｂとは反対側となる裏側（図３では右側）から突出された突出体であるほぞ３１が設けられている。このほぞ３１は、ほぞ穴２１Ａに前側（図３では左側）から差し込んで上下方向に動かすことが可能な形状およびサイズに形成されて、係止手段３０によりほぞ穴２１Ａに対して係止させることができるようになっている。なお、本実施形態において、ほぞ３１は黒色不透明のアクリル樹脂からなり、第１の裏板１１Ａにおける裏側（図３では右側）の面である胴付け面１１Ｂに、酢酸を溶着剤とした溶着の手法によって接着されている。
【００２８】
上記各構成によれば、仏事用礼拝シンボル９０を挟んだ挟持部１０から突出されたほぞ３１を支え部分２１のほぞ穴２１Ａに差し込み、挟持部１０を上下に動かして位置調整をし、さらにほぞ３１をほぞ穴２１Ａに係止させることができる。これにより、仏事用礼拝シンボル９０の上下方向の位置調整を容易にすることができる。
【００２９】
ところで、支え部分２１は、図２に示すように、その上下方向の長さが、挟持部１０の上下方向の長さよりも短く、かつ、その左右方向の幅が、挟持部１０の左右方向の幅よりも狭くなるように形成されている。このため、仏事用礼拝シンボルのホルダー１は、図１に示すように、正面から見たときに、仏事用礼拝シンボル９０を視認可能に覆う面材１０Ｂと、台座２０Ａと、この台座２０Ａと面材１０Ｂとをつなぐ支え部分２１とのみが見える構成となる。また、ほぞ穴２１Ａは、無色透明の支え部分２１を前後に貫通した通しほぞ穴とされて、その下縁が台座２０Ａの上面と面一となるように形成されている。このため、仏事用礼拝シンボルのホルダー１を正面視したときの支え部分２１は、台座２０Ａと面材１０Ｂとをつなぐ、２本の無色透明の柱であるかのように見える。
【００３０】
さて、係止手段３０は、図５および図６に示すように、支え部分２１からほぞ穴２１Ａ内に突出した状態に配設されるだぼ３０Ａにほぞ３１を引っかけることで、このほぞ３１をほぞ穴２１Ａに対して係止された状態にする構成となっている。この構成によれば、ほぞ３１をほぞ穴２１Ａの中に深く差し込まなくても、このほぞ穴２１Ａの中に配設されるだぼ３０Ａによりほぞ３１を係止できるため、この係止の作業を容易にすることができる。
【００３１】
ここで、ほぞ３１は、図５に示すように、このほぞ３１における第２の裏板１１Ｃ側（図５で見て下側）の縁部に、だぼ３０Ａと係合することが可能なサイズの切り欠きであるあたりかけ３１Ａを備えている。このあたりかけ３１Ａは、ほぞ穴２１Ａに前側（図５では左側）から差し込まれたほぞ３１の下側にだぼ３０Ａが位置されているときに、このだぼ３０Ａに対してほぞ３１を上側からひっかけて係止させることを可能とするように形成されている。この構成によれば、ほぞ穴２１Ａにほぞ３１を前側から差し込み、挟持部１０を上下に動かすことでこの挟持部１０を支持部２０に取り付けることができる。これにより、仏事用礼拝シンボル９０を挟み込んだ状態の挟持部１０を支持部２０に取り付ける作業を容易にすることができる。ここで、支持部２０の支え部分２１を透明とし、ほぞ穴２１Ａに差し込まれるほぞ３１を不透明とする構成によれば、図４に示すように、このほぞ３１を支え部分２１越しに視認してほぞ３１の位置を把握することができる。これにより、ほぞ３１をだぼ３０Ａに対して上側からひっかけて係止させる作業を容易にすることができる。
【００３２】
ところで、あたりかけ３１Ａは、図１２に示すように、ヒトがその手の指先９３を引っかけることが可能なサイズに形成されている。この構成によれば、ほぞ３１を取っ手として第１の裏板１１Ａの折り返しを開いた状態で、この第１の裏板１１Ａと面材１０Ｂとの間に仏事用礼拝シンボル９０を挿入することができる。さらに、面材１０Ｂと第２の裏板１１Ｃとの間に仏事用礼拝シンボル９０を滑り落とすようにさしはさむことができる。これにより、挟持部１０の裏板１１を開いてこの裏板１１と面材１０Ｂとの間に仏事用礼拝シンボル９０をさしはさむ作業の作業性を向上させることができる。
【００３３】
この場合、第１の裏板１１Ａの折り返しの幅を比較的広くする構成は、ほぞ３１を取っ手として用いて第１の裏板１１Ａの折り返しを開く際に必要な力を小さくする機能を発揮する。また、第１の裏板１１Ａにおける折り返しの先端寄りの部分にほぞ３１を設ける構成は、ほぞ３１を取っ手として用いて第１の裏板１１Ａの折り返しを開く際に必要な力を小さくする機能を発揮する。また、第２の裏板１１Ｃの折り返しの幅を比較的狭くした構成は、面材１０Ｂと第２の裏板１１Ｃとの間に仏事用礼拝シンボル９０を滑り落とすようにさしはさむ際に、この仏事用礼拝シンボル９０のすれを減らす機能を発揮する。
【００３４】
なお、上述したほぞ３１とだぼ３０Ａとの係止状態においては、図５に示すように、あたりかけ３１Ａがだぼ３０Ａを前後（図５で見て左右）両側から挟み込むことで、ほぞ３１の前後方向の位置決めがなされるようになっている。本実施形態においては、ほぞ３１は、このほぞ３１が接着される第１の裏板１１Ａの胴付け面１１Ｂがほぞ穴２１Ａの縁部に当接するように位置決めされる。この構成によれば、挟持部１０を支え部分２１に取り付けた状態においてほぞ穴２１Ａの縁部と挟持部１０の胴付け面１１Ｂとを当接させて、取り付けられた挟持部１０がぐらつくことを抑えることができる。
【００３５】
ここで、第１の裏板１１Ａの胴付け面１１Ｂは、ほぞ穴２１Ａの縁部に対して上下方向に摺動できる滑らかな面とされている。また、第２の裏板１１Ｃは、その裏側の面１１Ｄが、ほぞ穴２１Ａの縁部に当接してこの縁部に対して上下方向に摺動することができる滑らかな面とされている。この構成によれば、ほぞ３１を支え部分２１のほぞ穴２１Ａに差し込み、挟持部１０の上下の位置調整をする作業に際して、この挟持部１０を支え部分２１に押し当てた状態で上下にずり動かすことができる。これにより、挟持部１０の上下の位置調整をする作業を容易にすることができる。
【００３６】
ところで、支持部２０の支え部分２１は、図６および図７に示すように、支え部分２１の外表面において上下方向の位置が異なる複数箇所からそれぞれほぞ穴２１Ａに向かって垂直に貫通された貫通孔２１Ｂを備えている。また、だぼ３０Ａは、複数の貫通孔２１Ｂのいずれかに対して抜き差し可能に挿通されることで、ほぞ穴２１Ａ内に突出した状態に配設されるようになっている。なお、本実施形態においては、だぼ３０Ａはその一端（図６では左側の端部）が大径のつまみとされた差し込みだぼであるが、だぼ３０Ａは全体がほぼ同径の柱体として形成されたこみせんであってもよい。
【００３７】
上記構成によれば、だぼ３０Ａを抜き差ししてこのだぼ３０Ａを挿通させる貫通孔２１Ｂを切り替えることで、ほぞ３１がほぞ穴２１Ａに係止される上下方向の位置を変更することができる。これにより、仏事用礼拝シンボル９０の上下方向の位置調整を容易にすることができる。具体的には、支え部分２１には、図７に示すように、それぞれが支え部分２１を貫通する６つの貫通孔２１Ｂが、上下方向に延びる列をなすように設けられている。これらの貫通孔２１Ｂのうち一番上の貫通孔２１Ｂにだぼ３０Ａを挿通させた場合、図１０に示すように、ほぞ３１を支え部分２１の上端に近い高い位置に係止させ、仏事用礼拝シンボル９０が保持される位置を高く設定することができる。また、上記各貫通孔２１Ｂのうち一番下の貫通孔２１Ｂにだぼ３０Ａを挿通させた場合、図１１に示すように、ほぞ３１の係止位置を低くして、仏事用礼拝シンボル９０が保持される位置を低く設定することができる。ここで、図１１に示す状態においては、挟持部１０の下縁と台座２０Ａの上面とが当接されている。
【００３８】
上述した各構成によれば、仏事用礼拝シンボル９０を挟み込んだ状態に保持するタイプの仏事用礼拝シンボルのホルダー１において、仏事用礼拝シンボル９０の上下方向の位置調整を容易にすることができる。
【００３９】
本発明は、上述した一実施形態で説明した外観、構成に限定されず、本発明の要旨を変更しない範囲で種々の変更、追加、削除が可能である。例えば、以下のような各種の形態を実施することができる。
【００４０】
（１）本発明は、主に真言宗の仏事において本尊の表示となる仏事用礼拝シンボルのホルダーに限定されない。すなわち、本発明にかかる仏事用礼拝シンボルのホルダーは、この仏事用礼拝シンボルのホルダーに保持される仏事用礼拝シンボルを適宜に変更することで、真言宗以外の宗徒の礼拝に供することができるものである。ここで、仏事用礼拝シンボルのホルダーに保持される仏事用礼拝シンボルは、本紙に表装を貼り付けた構成のものである必要はなく、例えば仏画、仏像、または名号などの書画を単体で仏事用礼拝シンボルとしたものであってもよい。
【００４１】
（２）支持部における台座および支え部分の形状およびサイズは、適宜に変更することができる。ここで、支え部分が仏壇等に安定的に置くことができるほど太い場合には、支持部から台座を省略することができる。また、支え部分は、その外表面において上下方向に並ぶ貫通孔の列の代わりに、上下方向に長尺に延びるスリット状の貫通孔を備えたものとすることができる。この場合、上記スリット状の貫通孔において上下方向の位置が異なる複数箇所にだぼを係止する凹凸部を備えさせることで、ほぞをほぞ穴に係止させるだぼの上下方向の位置を変更することができる。
【００４２】
（３）図５に示すほぞ３１のあたりかけ３１Ａは、ほぞ３１における第２の裏板１１Ｃ側（図５で見て下側）の縁部に設けられたものである。しかしながら、ほぞ３１のあたりかけ３１Ａは、図１５に示すように、例えば裏板１１から突出されるほぞ３１における先端側（図１５で見て右側）の縁部から第１の裏板１１Ａの上縁側（図１５で見て上側）に曲がって延びるように設けられたものであってもよい。この場合、ほぞ３１のあたりかけ３１Ａをほぞ穴２１Ａ内に配設されるだぼ３０Ａに合わせた状態でほぞ３１をほぞ穴２１Ａの奥側（図１５で見て右側）に差し込むことで、そのあたりかけ３１Ａとだぼ３０Ａとを係合させることができる。また、あたりかけ３１Ａのサイズはヒトがその手の指先９３（図１２参照）を引っかけることが可能なサイズに限定されず、だぼ３０Ａのサイズに合わせて適宜に変更することができる。
【００４３】
（４）図７に示す挟持部１０においては、第１の裏板１１Ａの折り返しの幅が比較的広く、第２の裏板１１Ｃの折り返しの幅が比較的狭く設定されている。しかしながら、挟持部１０は、図１３に示すように、第１の裏板１１Ａの折り返しの幅と第２の裏板１１Ｃの折り返しの幅とが等しくなるように形成されたものであってもよい。また、挟持部１０は、図１４に示すように、第１の裏板１１Ａの折り返しの幅が比較的狭く、第２の裏板１１Ｃの折り返しの幅が比較的広く設定されたものであってもよい。また、挟持部１０から第１の裏板１１Ａまたは第２の裏板１１Ｃのいずれかを省略してもよい。
【００４４】
（５）第１の裏板の胴付け面および第２の裏板の裏側の面は、それぞれ、ほぞ穴の縁部に対して摺動することができないあらい面であってもよい。
【００４５】
（６）ほぞとほぞ穴とを係止させる構成は、支え部分に抜き差し可能に挿通されただぼにほぞのあたりかけを上側からひっかけて係止させる構成に限定されない。例えば、支え部分に接着されてこの支え部分から抜けないようにされただぼにほぞのあたりかけを上側からひっかけて係止させる構成を採用することができる。また、ほぞからあたりかけを省略し、ほぞ穴に差し込まれたほぞおよび支え部分にだぼを貫通させることで、ほぞとほぞ穴とを係止させる構成を採用することができる。また、ほぞを上側からひっかけることが可能な凹みであるこしかけをほぞ穴に備えさせて、ほぞとほぞ穴のこしかけとを係止させる構成を採用することができる。
【００４６】
（７）第２の裏板の上縁と第１の裏板の下縁との間に設定される隙間を省略することができる。
【００４７】
（８）係止手段はほぞとほぞ穴とを係止させる構成に限定されない。すなわち、例えば渡りあごを有する任意形状の物体を裏板の裏側に突出された状態に設けて突出体とし、この突出体の渡りあごを支え部分に設けられた任意形状の穴の縁部に係止させる構成を採用することができる。
【符号の説明】
【００４８】
１      仏事用礼拝シンボルのホルダー
１０    挟持部
１０Ａ  隙間
１０Ｂ  面材
１１    裏板
１１Ａ  第１の裏板
１１Ｂ  胴付け面（面）
１１Ｃ  第２の裏板
１１Ｄ  面
２０    支持部
２０Ａ  台座
２１    支え部分
２１Ａ  ほぞ穴（穴）
２１Ｂ  貫通孔
３０    係止手段
３０Ａ  だぼ
３１    ほぞ（突出体）
３１Ａ  あたりかけ
９０    仏事用礼拝シンボル
９０Ａ  表面
９０Ｂ  裏面
９１    本紙
９１Ａ  大日如来坐像
９２    表装
９３    指先
【図１】
2019004984.tif 000003
【図２】
2019004984.tif 000004
【図３】
2019004984.tif 000005
【図４】
2019004984.tif 000006
【図５】
2019004984.tif 000007
【図６】
2019004984.tif 000008
【図７】
2019004984.tif 000009
【図８】
2019004984.tif 000010
【図９】
2019004984.tif 000011
【図１０】
2019004984.tif 000012
【図１１】
2019004984.tif 000013
【図１２】
2019004984.tif 000014
【図１３】
2019004984.tif 000015
【図１４】
2019004984.tif 000016
【図１５】
2019004984.tif 000017